(57)【要約】【課題】視標呈示部に表示された視標に対応する視力値の前後の視力値に対応する視標を確認することができる自覚式検眼装置を提供する。【解決手段】複数の視標群１１ｃをそれぞれ構成する各ランドルト環１１ｂのうち最大又は最小の視力値に対応するランドルト環１１ｂを視標呈示部１３に表示すべくマウス３３の操作により選択したとき、表示部２５の視標表示欄３０に、選択されたランドルト環１１ｂと共に、該ランドルト環の視力値の前後の視力値に対応する各ランドルト環１１ｂがある場合には該各ランドルト環をそれぞれ表示し、選択されたランドルト環１１ｂの視力値の前又は後のうちいずれか一方の視力値に対応するランドルト環１１ｂがある場合には該ランドルト環を表示する。【選択図】図２
2008245673.tif 000002
【特許請求の範囲】
【請求項１】
被検眼に呈示する視標が表示される視標呈示部と、該視標呈示部に表示される前記視標を表示可能な検者用の表示部と、前記視標呈示部及び前記表示部の作動をそれぞれ制御する制御部と、それぞれに異なる視力値が設定された複数の視力検査用の前記視標をその視力値の大きさ順に所定の個数毎に分けることにより形成される複数の視標群のうちの一つの該視標群から前記視標呈示部に表示する前記視標を選択する視標選択手段とを備え、前記制御部は、前記各視標群を構成する前記各視標のうち最大又は最小の視力値に対応する前記視標が前記視標選択手段により選択されたとき、選択された前記視標と共に、該視標の視力値の前後の視力値に対応する前記各視標がある場合には該各視標をそれぞれ前記表示部に表示させ、選択された前記視標の視力値の前又は後のうちいずれか一方の視力値に対応する前記視標がある場合には該視標を前記表示部に表示させることを特徴とする自覚式検眼装置。
【請求項２】
前記制御部は、前記視標選択手段による選択が解除されたとき、選択された前記視標を含む前記視標群を前記視標呈示部及び前記表示部にそれぞれ表示させることを特徴とする請求項１に記載の自覚式検眼装置。
【請求項３】
前記表示部には、該表示部に表示された前記各視標に設定された前記視力値が前記各視標に対応して表示されており、前記制御部は、前記視標呈示部への前記視標の表示が他の該視標に切り替わったとき、前記表示部への前記視力値の表示を、前記表示部への前記各視標の表示の切り替えに対応して切り替えることを特徴とする請求項１又は２に記載の自覚式検眼装置。
【請求項４】
前記制御部は、前記表示部に表示された前記各視標のうち前記視標選択手段により選択された前記視標と他の前記視標とを識別可能に表示するための識別表示手段を有することを特徴とする請求項１乃至３のいずれか一項に記載の自覚式検眼装置。
【請求項５】
前記視標呈示部は液晶パネルからなる表示画面を有し、前記制御部は、前記視標選択手段により選択された前記視標を前記表示画面の中央部に表示させることを特徴とする請求項１乃至４のいずれか一項に記載の自覚式検眼装置。
【発明の詳細な説明】
【技術分野】
【０００１】
本発明は、被検眼の視機能を被検者の自覚的な判断に基づいて検査するための自覚式検眼装置に関する。
【背景技術】
【０００２】
従来、被検眼の視力のような視機能を被検者の応答に基づいて検査するための自覚式検眼装置が知られている（例えば、特許文献１参照。）。この自覚式検眼装置は、被検眼に呈示する各種の視標を表示する視標呈示部と、視標呈示部の作動を制御するコントローラとを備える。コントローラは、被検眼に呈示する視標を選択するために操作される操作部と、該操作部の操作により選択された視標を表示可能な表示部と、視標呈示部及び表示部の作動を制御する制御部とを有する。
【０００３】
このような自覚式検眼装置を用いて被検眼の視力検査を行う際、それぞれに異なる視力値が設定され且つその視力値の大きさ順に所定の個数毎に複数の視標群に分けられた複数の視力検査用視標が用いられる。
【０００４】
制御部は、複数の視標群のうちいずれかの視標群が操作部の操作により選択されたとき、選択された視標群を構成する各視力検査用視標を視標呈示部及び表示部にそれぞれ表示させる。これにより、検者は、表示部に表示された視標群を視認することにより、視標呈示部によって被検眼に呈示されている視標群がいずれの視標群であるのかを容易に確認することができる。また、制御部は、表示部に表示された各視標のうちいずれかの視標が操作部の操作により選択されたとき、視標呈示部に表示された視標群の各視力検査用視標のうち選択された視力検査用視標以外の各視力検査用視標を隠すいわゆるマスクがけを該各視標に施す。これにより、表示部に表示された各視力検査用視標のうち選択された視力検査用視標のみを被検眼に呈示することができる。
【特許文献１】特開２００２−１４３０９２号公報
【発明の開示】
【発明が解決しようとする課題】
【０００５】
しかしながら、表示部には視標呈示部に表示される視標群と同一の視標群が常に表示されることから、表示部に表示された視標群を構成する各視標のうち視力値が最大又は最小の視力値に対応する視標が選択されたとき、視標呈示部に表示された視標群のうち選択された視標に設定された視力値よりも大きい又は小さい視力値に対応する視標は、表示部に表示される視標群をその前後の視標群に切り替えない限り、表示部に表示されない。
【０００６】
すなわち、例えば視力値が０．２［Ｄ］、０．３［Ｄ］、０．４［Ｄ］に対応する各視標で構成される視標群が視標呈示部及び表示部にそれぞれ表示されている場合に０．４［Ｄ］に対応する視標が選択されたとき、視力値が０．５［Ｄ］の視標は表示部に表示されない。
【０００７】
このため、表示部に表示された視標を視認しながら検査を行う検者は、表示部に表示された視標群の各視標のうち視力値が最大又は最小の視力値に対応する視標を選択したとき、視標呈示部に表示されている視標に対応する視力値よりも大きい又は小さい視力値に対応する視標を視標呈示部に表示させたときに該視標呈示部に表示される視標がそれぞれいかなる形態を有する視標であるかを確認することができない。
【０００８】
そこで、本発明の目的は、視標呈示部に表示された視標に対応する視力値の前後の視力値に対応する視標を確認することができる自覚式検眼装置を提供することにある。
【課題を解決するための手段】
【０００９】
上記課題を解決するために、請求項１に記載の発明は、被検眼に呈示する視標が表示される視標呈示部と、該視標呈示部に表示される前記視標を表示可能な検者用の表示部と、前記視標呈示部及び前記表示部の作動をそれぞれ制御する制御部と、それぞれに異なる視力値が設定された複数の視力検査用の前記視標をその視力値の大きさ順に所定の個数毎に分けることにより形成される複数の視標群のうちの一つの該視標群から前記視標呈示部に表示する前記視標を選択する視標選択手段とを備え、前記制御部は、前記各視標群を構成する前記各視標のうち最大又は最小の視力値に対応する前記視標が前記視標選択手段により選択されたとき、選択された前記視標と共に、該視標の視力値の前後の視力値に対応する前記各視標がある場合には該各視標をそれぞれ前記表示部に表示させ、選択された前記視標の視力値の前又は後のうちいずれか一方の視力値に対応する前記視標がある場合には該視標を前記表示部に表示させることを特徴とする。
【００１０】
請求項２に記載の発明は、請求項１に記載の発明において、前記制御部は、前記視標選択手段による選択が解除されたとき、選択された前記視標を含む前記視標群を前記視標呈示部及び前記表示部にそれぞれ表示させることを特徴とする。
【００１１】
請求項３に記載の発明は、請求項１又は２に記載の発明において、前記表示部には、該表示部に表示された前記各視標に設定された前記視力値が前記各視標に対応して表示されており、前記制御部は、前記視標呈示部への前記視標の表示が他の該視標に切り替わったとき、前記表示部への前記視力値の表示を、前記表示部への前記各視標の表示の切り替えに対応して切り替えることを特徴とする。
【００１２】
請求項４に記載の発明は、請求項１乃至３のいずれか一項に記載の発明において、前記制御部は、前記表示部に表示された前記各視標のうち前記視標選択手段により選択された前記視標と他の前記視標とを識別可能に表示するための識別表示手段を有することを特徴とする。
【００１３】
請求項５に記載の発明は、請求項１乃至４のいずれか一項に記載の発明において、前記視標呈示部は液晶パネルからなる表示画面を有し、前記制御部は、前記視標選択手段により選択された前記視標を前記表示画面の中央部に表示させることを特徴とする。
【発明の効果】
【００１４】
請求項１に記載の発明によれば、それぞれに異なる視力値が設定された複数の視力検査用の視標をその視力値の大きさ順に所定の個数毎に分けることにより形成される複数の視標群をそれぞれ構成する各視標のうち最大又は最小の視力値に対応する視標が視標選択手段により選択されたとき、表示部には、該視標の視力値の前後の視力値に対応する各視標がある場合には該各視標がそれぞれ選択された視標と共に表示され、選択された視標の視力値の前又は後のうちいずれか一方の視力値に対応する視標がある場合には該視標が選択された視標と共に表示される。
【００１５】
このことから、一の視標群を構成する各視標のうち視力値が最大又は最小の視力値に対応する視標が選択されたとき、選択された視標すなわち視標呈示部に表示される視標に設定された視力値よりも大きい又は小さい視力値に対応する視標を表示部に表示させることができる。
【００１６】
これにより、例えば視力値が０．２［Ｄ］、０．３［Ｄ］、０．４［Ｄ］に対応する各視標で構成される視標群が視標呈示部及び表示部にそれぞれ表示されている場合に０．４［Ｄ］に対応する視標が選択されたとき、視力値が０．５［Ｄ］の視標を、該視標を含む視標群を表示部に表示させることなく、表示部に表示させることができる。
【００１７】
従って、表示部に表示された視標を視認しながら検査を行う検者は、視標呈示部に表示された視標群の各視標のうち被検眼に呈示する視標以外の各視標を隠すいわゆるマスクがけを該各視標に施すために、表示部に表示された視標群の各視標のうち視力値が最大又は最小の視力値に対応する視標を選択したとき、視標呈示部に表示されている視標に対応する視力値よりも大きい又は小さい視力値に対応する視標を視標呈示部に表示させたときに該視標呈示部に表示される視標がそれぞれいかなる形態を有する視標であるかを容易に確認することができる。
【００１８】
また、表示部に表示された視標群から選択された視標が視標呈示部に表示されることから、検者は、表示部に表示された視標を視認することにより、従来と同様に、視標呈示部によって被検眼に呈示されている視標がいずれの視標であるのかを容易に確認することができる。
【００１９】
更に、制御部は、表示部に表示された各視標のうちいずれかの視標が操作部の操作により選択されたとき、選択された視標を視標呈示部に表示することから、従来と同様に、表示部に表示された各視標のうち選択された視標のみを被検眼に呈示することができる。
【００２０】
請求項２に記載の発明によれば、制御部は、視標選択手段による選択が解除されたとき、選択された視標を含む視標群を視標呈示部及び表示部にそれぞれ表示させることから、視標群から視標が選択されていない状態では、同一の視標群を構成する同一の各視標がそれぞれ視標呈示部及び表示部に表示される。
【００２１】
これにより、例えば視力値が０．４［Ｄ］に対応する視標が選択された状態すなわち視標呈示部に０．４［Ｄ］の視標が表示され且つ表示部に０．３［Ｄ］、０．４［Ｄ］、０．５［Ｄ］の視標が表示された状態で視標選択手段による選択が解除されることにより視標呈示部に０．４［Ｄ］の視標を含む視標群が表示されたとき、表示部に０．３［Ｄ］、０．４［Ｄ］、０．５［Ｄ］の各視標が表示された状態が維持されることはない。
【００２２】
従って、視標選択手段による選択が解除されたときに、視標呈示部の表示と表示部の表示とが互いに異なることが防止されるので、視標選択手段による選択が解除されたときでも、検者は、表示部の表示を視認することにより、視標呈示部に表示された各視標を容易に確認することができる。
【００２３】
請求項３に記載の発明によれば、表示部に各視標に対応して表示された視力値の表示は、視標呈示部への視標の表示が該視標とは異なる視力値が設定された他の視標に切り替わったとき、すなわち、表示部に既に表示されていた各視標の表示位置に該各視標の視力値とは異なる視力値が設定された他の視標が表示されたとき、表示部への視力値の表示が、それぞれ表示部への各視標の表示の切り替えに対応して切り替わる。
【００２４】
これにより、例えば視力値を順次変えて検査すべく視標を視標呈示部に視力値順に表示させたとき、表示部に表示される視標が順次切り替わることにより表示部に新たに表示された視標がいずれの視力値に対応する視標であるかを容易に確認することができる。
【００２５】
請求項４に記載の発明によれば、表示部に表示された各視標のうち視標選択手段により選択された視標すなわち視標呈示部に表示される視標を、識別表示手段による表示により、他の視力検査用視標と識別することができる。
【００２６】
これにより、検者は、視標呈示部に表示された視標が、表示部に表示された複数の視標のうちいずれの視標であるかを、容易に判別することができる。
【００２７】
従って、実行している検査に用いられている視標がいずれの視標であるかを判別するために例えば視標呈示部を覗き込む場合に比べて、被検眼の視機能検査を円滑に進行することができる。
【００２８】
請求項５に記載の発明によれば、視標選択手段により選択された視標は、視標呈示部の液晶パネルからなる表示画面の中央部に表示される。
【００２９】
例えば視標呈示部に表示画面を囲む枠が設けられている場合、視標が視標呈示部の表示画面の端に表示されていると、視標が前記枠に近接するため、被検眼の視機能検査時に、被検者が視標呈示部の表示画面に表示された視標を見たとき、前記枠が明確に見えてしまう。このため、被検者は、枠が気になって、視標を集中して見ることができない虞がある。
【００３０】
これに対し、本発明によれば、前記したように、視標が視標呈示部の表示画面の中央部に表示されることから、視標呈示部の表示画面に該表示画面を囲む枠がたとえ設けられていたとしても、視標は前記枠に近接することなく該枠から離れた位置で表示画面に表示されるので、被検者が視標呈示部の表示画面に表示された視標を見たとき、前記枠が明確に見えてしまうことが抑制される。
【００３１】
これにより、被検眼の検査時に、被検者は、前記枠が明確に見えてしまう場合に比べて、視標を確実に集中して見ることができる。
【発明を実施するための最良の形態】
【００３２】
本発明を図示の実施例に沿って説明する。
【実施例】
【００３３】
本発明に係る自覚式検眼装置１０は、図１に示すように、被検者２３の被検眼に呈示する各種の視標１１を表示するための視標呈示部１３と、被検眼の視機能を矯正するための矯正装置１４とを備える。自覚式検眼装置１０は、従来よく知られているように、図示しない眼鏡を作成する際に該眼鏡のレンズの屈折度数を定めるために用いられている。
【００３４】
視標呈示部１３は、各種の視標１１が表示される表示画面１６を有する。表示画面１６は、図示の例では、液晶パネルで構成されており、表示画面１６に表示される視標１１は、後述する制御装置１５の操作部２４の操作により決定される。
【００３５】
被検者２３と視標呈示部１３との間には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１４が取り付けられている。
【００３６】
矯正装置１４は、左右方向に並べて配置された一対のフォロプタ２１を備える。各フォロプタ２１は、それぞれ検眼窓２２が形成されたハウジング２１ａを備える。各ハウジング２１ａ内には、図示しないが従来と同様に、互いに屈折力の異なる複数の光学素子であるレンズが周方向に沿って設けられた環状のレンズディスクが回転可能に収納されている。すなわち、矯正装置１４は、光学素子を被検眼と視標呈示部１３との間に選択的に配置する光学素子配置装置を構成している。前記各レンズは、前記制御装置１５の制御下で前記レンズディスクの回転により各検眼窓２２内に選択的に配置される。
【００３７】
更に、本発明に係る自覚式検眼装置１０は、矯正装置１４及び視標呈示部１３の作動を制御する前記した制御装置１５を備える。
【００３８】
制御装置１５は、検眼テーブル１８上に載置されており、図示の例では、パーソナルコンピュータＰ（以下、パソコンと称す。）で構成されている。
【００３９】
パソコンＰは、図２及び図３に示すように、検者２３（図１参照。）により操作される操作部２４と、該操作部のための後述する操作画像が表示される表示部２５とを有する。
【００４０】
表示部２５は、図２及び図３に示すように、操作部２４の前記各スイッチの操作により設定された内容を示す前記した操作画像が表示される表示画面２６を有する。
【００４１】
表示画面２６は、図示の例では、液晶パネルで構成されている。表示画面２６には、図４に示すように、前記レンズの球面度数、乱視度数及び軸角度等の屈折力が表示される屈折力表示欄２７と、視標呈示部１３の表示画面１６に表示される視標１１を示す複数の視標画像２８の一覧が表示される一覧表示欄２９とが設けられている。
【００４２】
屈折力表示欄２７には、図示の例では、前記レンズの屈折力のうち球面度数、乱視度数、軸角度及び加入の項目が示されている。
【００４３】
更に、表示画面２６には、一覧表示欄２９から後述するように選択された視標画像２８に対応する視標１１が表示される視標表示欄３０と、該視標表示欄に後述する視力検査用視標１１ａが表示されたときに、該視力検査用視標に設定された視力値（以下、検査視力値と称す。）が表示される複数の視力値表示欄３１とが設けられている。
【００４４】
各視力値表示欄３１は、図示の例では、それぞれ視標表示欄３０の右側に、該視標表示欄に表示される前記記号又は前記文字に対応して配置されている。
【００４５】
また、表示画面２６には、後述する視標群１１ｃの各行に従来よく知られたマスクがけを施すためのマスクボタンＭ１，Ｍ２，Ｍ３を示す画像が各行に対応して設けられている。各マスクボタンＭ１，Ｍ２，Ｍ３は、図示の例では、それぞれ視標表示欄３０と各視力値表示欄３１との間にそれぞれ設けられている。
【００４６】
操作部２４は、図３に示すように、検査の設定のための各種のスイッチが設けられた操作盤３２と、該操作盤に接続されたマウス３３とを備える。
【００４７】
マウス３３は、押し操作であるいわゆるクリック操作される左ボタン３３ａ及び右ボタン３３ｂと、該各ボタン３３ａ，３３ｂ間に設けられたダイヤル３４とを有する。マウス３３は、後述するように、表示部２５に表示された視標群１１ｃから視標呈示部１３に表示させる視標１１を選択する視標選択手段としての機能を担う。
【００４８】
マウス３３を例えば検眼テーブル１８上で移動させると、従来よく知られているように、表示画面２６に表示された矢印状のポインタ３５（図４参照。）が表示画面２６上を移動する。
【００４９】
ダイヤル３４は、後述するように、表示画面２６の屈折力表示欄２７に表示される球面度数、乱視度数及び軸角度等の数値を変更するときに回転操作される。
【００５０】
更に、パソコンＰは、図２に示すように、演算制御回路３６及び画像出力部３７を有する。画像出力部３７は、表示部２５及び視標呈示部１３に接続されている。演算制御回路３６は、ＣＰＵ３８と、メモリ部３９とを有する。
【００５１】
メモリ部３９は、ＣＰＵ３８に接続されている。メモリ部３９には、各種の検査に用いられる各種の視標１１を示す前記した視標データ４０と、前記した操作画像を示す操作画像データ４２と、前記各レンズの屈折力を示すレンズデータ４３とがそれぞれ記憶されている。
【００５２】
操作画像データ４２には、表示部２５の表示画面２６に表示される屈折力表示欄２７、一覧表示欄２９、視標表示欄３０及び視力値表示欄３１をそれぞれ示す画像、及び、各視標画像２８がそれぞれ含まれている。
【００５３】
視標データ４０には、被検眼の視力検査に用いられる視力検査用視標１１ａが含まれている。視力検査用視標１１ａは、図５（ａ）に示すように、それぞれ従来よく知られた文字「Ｃ」からなるランドルト環１１ｂで構成されている。各ランドルト環１１ｂは、従来よく知られているように、検査視力値毎にその検査視力値に対応した大きさを有し、その大きさは、被検眼の検査視力値が大きくなるに従って小さくなる。すなわち、各ランドルト環１１ｂは、対応する検査視力値毎に異なる大きさを有する。
【００５４】
図示の例では、各ランドルト環１１ｂのうち同一の検査視力値に対応する大きさを有する各ランドルト環１１ｂは行方向すなわち横方向に配列され、各ランドルト環１１ｂのうち互いに異なる検査視力値に対応する大きさを有する各ランドルト環１１ｂは列方向すなわち縦方向に下方へ向けて検査視力値が小さくなるように配列されている。
【００５５】
また、各ランドルト環１１ｂは、その検査視力値順に三行ずつに分けられており、その各三行をそれぞれ構成する複数のランドルト環１１ｂで一つの前記した視標群１１ｃを構成している。各ランドルト環１１ｂは、それぞれ視標群１１ｃ毎にメモリ部３９に記憶されている。
【００５６】
また、表示部２４の表示画面２６に表示された一覧表示欄２９には、図４に示すように、各視標群１１ｃを示す複数の視力検査用視標画像２８ａが表示されている。
【００５７】
各視力検査用視標画像２８ａは、検査視力値が０．２［Ｄ］、０．３［Ｄ］、０．４［Ｄ］の各ランドルト環１１ｂで構成された視標群１１ｃ、検査視力値が０．５［Ｄ］、０．６［Ｄ］、０．７［Ｄ］の各ランドルト環１１ｂで構成された視標群１１ｃ、検査視力値が０．８［Ｄ］、０．９［Ｄ］、１．０［Ｄ］の各ランドルト環１１ｂで構成された視標群１１ｃ、及び、検査視力値が１．２［Ｄ］、１．５［Ｄ］、２．０［Ｄ］の各ランドルト環１１ｂで構成された視標群１１ｃをそれぞれ示している。
【００５８】
ＣＰＵ３８は、図２に示す例では、操作部２４及び画像出力部３７に接続されており、更に、矯正装置１４に設けられた図示しない駆動制御部に接続されている。
【００５９】
ＣＰＵ３８は、屈折力表示欄２７上にポインタ３５がおかれた状態でマウス３３の左ボタン３３ａがクリック操作され、更に、マウス３３のダイヤル３４が回転操作されたことを検知すると、ポインタ３５がおかれた項目が屈折力表示欄２７に示された各項目のうちいずれの項目であるかを検出すると共に、ダイヤル３４の回転位置に対応して記憶された屈折力をメモリ部３９のレンズデータ４３から抽出し、抽出した該レンズデータが示す屈折力を有する前記レンズを各フォロプタ２１の検眼窓２２内に配置する旨の制御信号を矯正装置１４の前記駆動制御部に出力する。
【００６０】
これにより、マウス３３の操作により選択された屈折力を有する前記レンズが各フォロプタ２１の検眼窓２２内に配置される。
【００６１】
また、ＣＰＵ３８は、屈折力表示欄２７のいずれかの項目上でクリック操作され更にマウス３３のダイヤル３４が操作されると、メモリ部３９から抽出したレンズデータ４３が示す屈折力を操作画像データ４２に含まれる屈折力表示欄２７に表示させる旨の制御信号を表示部２５に画像出力部３７を介して出力する。
【００６２】
これにより、表示部２５の表示画面２６の屈折力表示欄２７には、図４に示すように、マウス３３のダイヤル３４の操作により選択された前記レンズの屈折力の値が表示される。
【００６３】
更に、ＣＰＵ３８は、例えば自覚式検眼装置１０の電源がＯＦＦ状態からＯＮ状態に切り替わったとき、メモリ部３９から操作画像データ４２を読み込み、該操作画像データを表示部２５の表示画面２６に表示させる旨の制御信号を表示部２５に画像出力部３７を介して出力する。
【００６４】
これにより、表示部２５の表示画面２６には、操作画像データ４２に含まれる屈折力表示欄２７、各視標画像２８、一覧表示欄２９、視標表示欄３０及び各視力値表示欄３１がそれぞれ図４に示すように表示される。
【００６５】
また、ＣＰＵ３８は、図示の例では、表示画面２６に表示された一覧表示欄２９の各視標画像２８のうちいずれかの視標画像２８上にポインタ３５がおかれ、その状態でマウス３３の左ボタン３３ａがクリック操作されたことを検知すると、このクリック操作により選択された視標画像２８に対応する視標１１の視標データ４０をメモリ部３９から抽出し、抽出した視標データ４０が示す視標１１を表示部２５の表示画面２６及び視標呈示部１３の表示画面１６に表示させる旨の制御信号を表示部２５及び視標呈示部１３に画像出力部３７を介して出力する。
【００６６】
これにより、例えば、複数の視標画像２８のうち検査視力値が０．２［Ｄ］、０．３［Ｄ］、０．４［Ｄ］の各ランドルト環１１ｂで構成された視標群１１ｃを示す視力検査用視標画像２８ａが選択されたとき、表示部２５の視標表示欄３０と視標呈示部１３の表示画面１６とには、図１及び図４に示すように、それぞれマウス３３の操作により選択された視標群１１ｃが表示される。
【００６７】
更に、ＣＰＵ３８は、メモリ部３９から抽出した視標データ４０が視標群１１ｃを示す視標データ４０であることを検出したとき、視標群１１ｃの各行の視力値をそれぞれ判定し、判定した視力値をメモリ部３９から抽出し、抽出した視力値を表示部２５の表示画面２６に表示させる旨の制御信号を表示部２５に画像出力部３７を介して出力する。
【００６８】
これにより、表示部２５の各視力値表示欄３１には、図４に示すように、それぞれ視標表示欄３０に表示された各行に対応した視力値が表示される。
【００６９】
また、ＣＰＵ３８は、マウス３３の操作により選択された視標画像２８が視力検査用視標画像２８ａであり、各マスクボタンＭ１，Ｍ２，Ｍ３のいずれかがクリック操作されたことを検出すると、いずれのマスクボタンＭ１，Ｍ２，Ｍ３がクリック操作されたかを判定する。
【００７０】
ＣＰＵ３８は、各マスクボタンＭ１，Ｍ２，Ｍ３のうち視標表示欄３０に表示された視標群１１ｃの上から一行目及び三行目に対応する各マスクボタンＭ１，Ｍ３がクリック操作されたと判定した場合、すなわち、被検眼に呈示すべく検者２３により選択された行が二行目である場合、一行目及び三行目にマスクがけを施す旨の制御信号を視標呈示部１３に画像出力部３７を介して出力する。
【００７１】
これにより、視標呈示部１３の表示画面１６に表示された視標群１１ｃの上から一行目及び三行目にマスクがけが施され、図６に示すように、二行目を構成する各ランドルト環１１ｂのみが表示画面１６に表示される。
【００７２】
このとき、表示部２５の視標表示欄３０及び各視力値表示欄３１の表示状態は、図４に示すように、それぞれマスクがけ操作が行われる前と同一の表示状態におかれる。
【００７３】
他方、ＣＰＵ３８は、各マスクボタンＭ１，Ｍ２，Ｍ３のうち視標表示欄３０に表示された視標群１１ｃの上から一行目及び二行目に対応する各マスクボタンＭ１，Ｍ２がクリック操作されたと判定した場合すなわち被検眼に呈示すべく検者２３により選択された行が視標表示欄３０に表示された視標群１１ｃのうち最大の視力値に対応する各ランドルト環１１ｂで構成された三行目である場合、及び、二行目及び三行目に対応する各マスクボタンＭ２，Ｍ３がクリック操作されたと判定した場合すなわち被検眼に呈示すべく検者２３により選択された行が視標表示欄３０に表示された視標群１１ｃのうち最小の視力値に対応する各ランドルト環１１ｂで構成された一行目である場合、一行目及び三行目、又は、二行目および三行目にマスクがけを施す旨の制御信号を視標呈示部１３に画像出力部３７を介して出力する。
【００７４】
これにより、例えば視力値が０．２［Ｄ］、０．３［Ｄ］、０．４［Ｄ］の視標群１１ｃの上から一行目及び二行目に対応する各マスクボタンＭ１，Ｍ２がクリック操作された場合、図５（ａ）及び図７に示すように、視標呈示部１３の表示画面１６に表示された視標群１１ｃの上から一行目及び二行目にマスクがけが施され、三行目を構成する視力値０．４［Ｄ］の各ランドルト環１１ｂのみが表示画面１６に表示される。
【００７５】
また、ＣＰＵ３８は、表示部２５の視標表示欄３０に表示された視標群１１ｃの一行目又は三行目を除く各行に対応する各マスクボタンＭ１，Ｍ２，Ｍ３がクリック操作されたと判定した場合には、一行目又は三行目を構成する各ランドルト環１１ｂの視力値を判定し、該各ランドルト環の視力値の前後の視力値に対応する行がメモリ部３９に記憶されているか否かを判定する。
【００７６】
ＣＰＵ３８は、一行目又は三行目を構成する各ランドルト環１１ｂの視力値の前及び後のいずれか一方の視力値に対応する行はメモリ部３９に記憶されていると判定した場合、一行目の視力値の後の視力値すなわち一行目の視力値よりも一段階大きい視力値に対応する行を構成する各ランドルト環１１ｂと一行目を構成する各ランドルト環１１ｂとを、又は、三行目の視力値の前の視力値すなわち三行目の視力値よりも一段階小さい視力値に対応する行を構成する各ランドルト環１１ｂと三行目を構成する各ランドルト環１１ｂとを、それぞれ表示部２５の視標表示欄２９に表示させる旨の制御信号を表示部２５に画像出力部３７を介して出力する。
【００７７】
これにより、例えば視力値が１．２［Ｄ］、１．５［Ｄ］、２．０［Ｄ］の視標群１１ｃのうち三行目を構成する２．０［Ｄ］の行を除く各行に対応する各マスクボタンＭ１，Ｍ２がクリック操作された場合、すなわち、図５（ａ）に示すように、１．２［Ｄ］、１．５［Ｄ］、２．０［Ｄ］の視標群１１ｃのうち２．０［Ｄ］の行を被検眼に呈示すべく検者２３により選択された場合、図５（ｂ）に示すように、２．０［Ｄ］の行を構成する各ランドルト環１１ｂと該各ランドルト環１１ｂの視力値よりも一段階小さい視力値１．５［Ｄ］に対応する各ランドルト環１１ｂとがそれぞれ表示部２５の視標表示欄３０に表示される。
【００７８】
他方、ＣＰＵ３８は、ＣＰＵ３８は、一行目又は三行目を構成する各ランドルト環１１ｂの視力値の前及び後の両方の視力値に対応する行がメモリ部３９に記憶されていると判定した場合、一行目又は三行目を構成する各ランドルト環１１ｂと、一行目又は三行目の視力値の前後の視力値に対応する二つの行を構成する各ランドルト環１１ｂとを、それぞれ表示部２５の視標表示欄２９に表示させる旨の制御信号を表示部２５に画像出力部３７を介して出力する。
【００７９】
このとき、マスクがけが施される前に視標表示欄３０に表示された視標群１１ｃが０．２［Ｄ］、０．３［Ｄ］、０．４［Ｄ］の各行で構成された視標群１１ｃである場合、図５（ａ）に示すように、視力値が０．４［Ｄ］の行の前である視力値が０．３［Ｄ］の行はＣＰＵ３８により抽出された視標群１１ｃに含まれているが、視力値が０．４［Ｄ］の行の後の行である視力値が０．５［Ｄ］の行はＣＰＵ３８により抽出された視標群１１ｃに含まれていない。このため、ＣＰＵ３８は、視力値が０．５［Ｄ］の行を構成する各ランドルト環１１ｂをメモリ部３９から抽出した後、前記制御信号を表示部２５に出力する。
【００８０】
これにより、表示部２５の視標表示欄３０の表示は、図８（ａ）に示す状態から図８（ｂ）に示す状態に切り替わり、視標表示欄３０には、図５（ｂ）及び図８（ｂ）に示すように、視標呈示部１３に表示された行を構成する視力値０．４［Ｄ］の各ランドルト環１１ｂと該各ランドルト環の視力値の前後の視力値０．５［Ｄ］及び０．６［Ｄ］に対応する各ランドルト環１１ｂで構成された各行とがそれぞれ表示される。
【００８１】
また、このとき、ＣＰＵ３８は、表示部２５の視標表示欄３０に表示させる視標群１１ｃの各行の視力値を表示部２５の表示画面２６に表示させる旨の制御信号を表示部２５に画像出力部３７を介して出力する。
【００８２】
これにより、表示部２５の各視力値表示欄３１の表示は、図８（ａ）に示す状態から図８（ｂ）に示す状態に切り替わり、各視力値表示欄３１には、それぞれ視標表示欄３０に表示された各行に対応した視力値が表示される。
【００８３】
更に、本実施例では、ＣＰＵ３８は、マスクがけを行うべくクリック操作されたマスクボタンＭ１，Ｍ２，Ｍ３が再度クリック操作されると、ＣＰＵ３８は、再操作されたマウスボタンＭ１、Ｍ２，Ｍ３に対応する行に施されたマスクがけを解除する旨の制御信号を視標呈示部１３に画像出力部を介して出力する。
【００８４】
これにより、視標呈示部１３の表示画面１６に表示された視標群１１ｃに施されたマスクがけが解除され、表示画面１６の表示状態は、図６及び図７に示すような状態から、図１に示すような状態に戻る。
【００８５】
また、ＣＰＵ３８は、マスクがけを行うべくクリック操作されたマスクボタンＭ１，Ｍ２，Ｍ３のうちのいずれかが再操作されたことを検知すると、視標呈示部１３の表示画面１６に表示されていた行を含む視標群１１ｃを視標表示欄３０に表示させる旨の制御信号を表示部２５に画像出力部を介して出力する。
【００８６】
このとき、ＣＰＵ３８は、視標表示欄３０の表示状態が図４に示す状態の場合には、その表示状態を維持する旨の制御信号を表示部２５に画像出力部を介して出力する。
【００８７】
これにより、視標表示欄３０には、マスクがけが施されていたときに表示されていた視標群１１ｃが表示される。
【００８８】
また、ＣＰＵ３８は、視標表示欄３０の表示状態が図８（ｂ）に示す状態の場合には、視標呈示部１３の表示画面１６に表示されていた行を含む視標群１１ｃをメモリ部３９から抽出した後、抽出した視標群１１ｃを視標表示欄３０に表示させる旨の制御信号を表示部２５に画像出力部を介して出力する。
【００８９】
これにより、視標表示欄３０の表示状態は、図８（ｂ）に示す状態から図８（ａ）に示す状態に戻り、視標呈示部１３に表示されていた視力値０．４［Ｄ］に対応する行を含む視標群１１ｃが視標表示欄３０に表示される。
【００９０】
更に、本発明に係る自覚式検眼装置１０では、図２に示すように、視標表示欄３０に表示された視標群１１ｃの三行のうち視標呈示部１３の表示画面１６に表示される行と他の行とを識別可能に表示するための識別表示手段４４を備える。
【００９１】
識別表示手段４４は、図２に示す例では、演算制御回路３６に組み込まれており、ＣＰＵ３８及び画像出力部３７に接続されている。識別表示手段４４は、図示の例では、表示画面２６に表示された一覧表示欄２９からマウス３３の操作により選択された視標画像２８が視力検査用視標画像２８ａであり、各マスクボタンＭ１，Ｍ２，Ｍ３のうち視標群１１ｃの一行目及び二行目に対応する各マスクボタンＭ１，Ｍ２又は二行目及び三行目に対応する各マスクボタンＭ２，Ｍ３がクリック操作されたことを検出すると、視標表示欄３０内の領域のうち上部領域３０ａ及び下部領域３０ｂ（図８（ｂ）参照。）にそれぞれ網掛けを施す旨の制御信号を画像出力部３７に出力する。
【００９２】
画像出力部３７は、視標表示欄３０の上部領域３０ａ及び下部領域３０ｂにそれぞれ網掛けを施す旨の制御信号を識別表示手段４４から受けると、その制御信号に基づいて画像処理を行い、視標表示欄３０の上部領域３０ａ及び下部領域３０ｂにそれぞれ網４５を表示する旨の画像信号を表示部２５に出力する。
【００９３】
これにより、表示部２５の視標表示欄３０の表示が図８（ａ）に示す状態から図８（ｂ）に示す状態に切り替わったとき、視標呈示部１３の表示画面１６に表示された行の視力値の前後の視力値に対応する各行がそれぞれ表示された上部領域３０ａ及び下部領域３０ｂには、それぞれ網４５が表示される。
【００９４】
検者２３は、視標表示欄３０の上部領域３０ａ及び下部領域３０ｂに表示された各ランドルト環１１ｂを網４５を通して視認することができるので、網４５が各ランドルト環１１ｂの視認の妨げになることはない。
【００９５】
本発明に係る自覚式検眼装置１０を用いて被検眼の視機能を検査する際、検者２３は、先ず、検査に用いる視標１１を示す視標画像２８を表示部２５の一覧表示欄２９からマウス３３の操作により前記したように選択する。このとき、前記したように、表示部２５の視標表示欄３０及び視標呈示部１３の表示画面１６には、それぞれ選択された視標画像２８に対応する視標１１が表示される。検者２３は、視標表示欄３０に表示された視標１１を視認することにより、表示された視標１１が決定した視標画像２８に対応する視標１１に一致しているか否かを確認することができる。
【００９６】
次に、検者２３は、視標呈示部１３の表示画面１６に表示された視標１１を各検眼窓２２内に配置された前記各レンズを通して被検者２３に見させ、その見え具合を聞く。検者２３は、被検者２３の応答に基づいて、各検眼窓２２内に配置する前記レンズをマウス３３のダイヤル３４の操作により切り替える。このとき、ダイヤル３４の操作により設定された前記レンズの屈折力が、前記したように、表示部２５の屈折力表示欄２７に表示される。前記レンズを切り替えることにより、被検眼の視機能が矯正され、作成すべき眼鏡のレンズの屈折度数を定めることができる。
【００９７】
本実施例によれば、前記したように、複数の視標群１１ｃをそれぞれ構成する各ランドルト環１１ｂのうち最大又は最小の視力値に対応するランドルト環１１ｂが視標呈示部１３に表示すべくマウス３３の操作により選択されたとき、表示部２５の視標表示欄３０には、選択されたランドルト環１１ｂと共に、該ランドルト環の視力値の前後の視力値に対応する各ランドルト環１１ｂがある場合には該各ランドルト環がそれぞれ表示され、選択されたランドルト環１１ｂの視力値の前又は後のうちいずれか一方の視力値に対応するランドルト環１１ｂがある場合には該ランドルト環が表示される。
【００９８】
このことから、視標呈示部１３に表示された視標群１１ｃの各ランドルト環１１ｂのうち被検眼に呈示するランドルト環１１ｂ以外の各ランドルト環１１ｂを隠すマスクがけを該各ランドルト環に施すために、表示部２５に表示された視標群１１ｃの各ランドルト環１１ｂのうち視力値が最大又は最小の視力値に対応するランドルト環１１ｂが選択されたとき、視標呈示部１３の表示画面１６に表示された各ランドルト環１１ｂへのマスクがけの位置に拘わらず、選択されたランドルト環１１ｂすなわち視標呈示部１３に表示されるランドルト環１１ｂに設定された視力値よりも大きい又は小さい視力値に対応するランドルト環１１ｂを表示部２５に表示させることができる。
【００９９】
これにより、表示部２５に表示された視標１１を視認しながら検査を行う検者２３は、表示部２５に表示する視標群１１ｃを一つ前又は一つ後の視標群１１ｃに切り替えることなく、視標呈示部１３に表示されているランドルト環１１ｂに対応する視力値よりも大きい又は小さい視力値に対応するランドルト環１１ｂを視標呈示部１３に表示させたときに該視標呈示部に表示されるランドルト環１１ｂがそれぞれいかなる形態を有するかを容易に確認することができる。
【０１００】
また、表示部２５に表示された視標群１１ｃから選択された視標１１が視標呈示部１３に表示されることから、検者２３は、表示部２５に表示された視標１１を視認することにより、従来と同様に、視標呈示部１３によって被検眼に呈示されている視標１１がいずれの視標１１であるのかを容易に確認することができる。
【０１０１】
また、前記したように、ＣＰＵ３８は、マウス３３の操作によってマスクがけが解除されたとき、視標呈示部１３に表示されていた視力値のランドルト環１１ｂを含む視標群１１ｃを視標呈示部１３及び表示部２５にそれぞれ表示させることから、視標群１１ｃにマスクがけが施されていない状態では、同一の視標群１１ｃを構成する同一の各ランドルト環１１ｂがそれぞれ視標呈示部１３及び表示部２５に表示される。
【０１０２】
これにより、例えば視力値が０．４［Ｄ］に対応する各ランドルト環１１ｂが視標呈示部１３に表示され且つ表示部２５に０．３［Ｄ］、０．４［Ｄ］、０．５［Ｄ］の各ランドルト環１１ｂが表示された状態でマスクがけが解除されることにより視標呈示部に０．４［Ｄ］の視標を含む視標群１１ｃが表示されたとき、表示部２５に０．３［Ｄ］、０．４［Ｄ］、０．５［Ｄ］の各ランドルト環１１ｂが表示された状態が維持されることはない。
【０１０３】
従って、マスクがけが解除されたときに、視標呈示部１３の表示と表示部２５の表示とが互いに異なることが防止されるので、マスクがけが解除されたときでも、検者２３は、表示部２５の表示を視認することにより、視標呈示部１３に表示された各視標１１を容易に確認することができる。
【０１０４】
また、前記したように、表示部２５に各視力検査用視標１１ａに対応して表示された視力値の表示は、視標呈示部１３への視力検査用視標１１ａの表示が該視力検査用視標とは異なる視力値が設定された他の視力検査用視標１１ａに切り替わったとき、すなわち、表示部２５に既に表示されていた各視力検査用視標１１ａの表示位置に該各視力検査用視標とは異なる視力値が設定された他の視力検査用視標１１ａが表示されたとき、表示部２５の視力値表示欄３１への視力値の表示が、それぞれ表示部２５への各視力検査用視標１１ａの表示の切り替えに対応して切り替わる。
【０１０５】
これにより、例えば視力値を順次変えて検査すべく視力検査用視標１１ａを視標呈示部１３に視力値順に表示させたとき、表示部２５に表示される視力検査用視標１１ａが順次切り替わることにより表示部２５に新たに表示された視力検査用視標１１ａがいずれの視力値に対応する視力検査用視標１１ａであるかを容易に確認することができる。
【０１０６】
更に、前記したように、表示部２５に表示された各行のうち視標呈示部１３に表示される行を構成する各ランドルト環１１ｂを、識別表示手段４４による表示により、他の行を構成する各ランドルト環１１ｂと識別することができる。
【０１０７】
これにより、検者２３は、視標呈示部１３に表示された各ランドルト環１１ｂすなわち実行している検査に用いられている各ランドルト環１１ｂが表示部２５に表示された複数のランドルト環１１ｂのうちいずれのランドルト環１１ｂであるかを、容易に判別することができる。
【０１０８】
従って、実行している検査に用いられている各ランドルト環１１ｂがいずれのランドルト環１１ｂであるかを判別するために例えば視標呈示部１３の表示画面１６を覗き込む場合に比べて、被検眼の視機能検査を円滑に進行することができる。
【０１０９】
本実施例では、視標呈示部１３の表示画面１６に表示された視標群１１ｃの各行のうちの二行にマスクがけを施したとき、マスクがけが施されていない一行すなわち被検眼に提示すべく検者２３により選択された一行は、マスクがけが行われる前と同一の位置で表示画面１６に表示される例を示したが、これに代えて、図９に示すように、選択された一行を視標呈示部１３の表示画面１６の中央部に表示させることができる。
【０１１０】
この場合、画像出力部３７は、視力検査用視標画像２８ａが選択されたときに、該視標画像に対応する視標群１１ｃのうちの二行にマスクがけを施す旨の制御信号を受けると、その各行以外の一行を構成する各ランドルト環１１ｂを視標呈示部１３の表示画面１６の中央部に表示させるように画像処理を施した後、前記一行を構成する各ランドルト環１１ｂを視標呈示部１３の表示画面１６に表示させる旨の画像信号を視標呈示部１３に出力する。これにより、視標呈示部１３の表示画面１６の中央部には、図９に示すように、被検眼に呈示すべく検者２３により選択された一行を構成する各ランドルト環１１ｂがそれぞれ表示される。
【０１１１】
例えば視標呈示部１３に、図１に示すように、表示画面１６を囲む枠１６ａが設けられている場合、各ランドルト環１１ｂが表示画面１６の端に表示されていると、各ランドルト環１１ｂが枠１６ａに近接するため、被検眼の視機能検査時に、被検者２３が表示画面１６に表示された各ランドルト環１１ｂを見たとき、枠１６ａが明確に見えてしまう。このため、被検者２３は、枠１６ａが気になって、見るべきランドルト環１１ｂを集中して見ることができない虞がある。
【０１１２】
これに対し、本発明によれば、前記したように、各ランドルト環１１ｂが視標呈示部１３の表示画面１６の中央部に表示されることから、視標呈示部１３に表示画面１６を囲む枠１６ａがたとえ設けられていたとしても、各ランドルト環１１ｂは枠１６ａに近接することなく該枠から離れた位置で表示画面１６に表示されるので、被検者２３が表示画面１６に表示された各ランドルト環１１ｂを見たとき、枠１６ａが明確に見えてしまうことが抑制される。
【０１１３】
これにより、被検眼の検査時に、被検者２３は、前記枠１６ａが明確に見えてしまう場合に比べて、見るべきランドルト環１１ｂを確実に集中して見ることができる。
【０１１４】
また、視標呈示部１３の表示画面１６に、視標群１１ｃを構成する三行のうち選択された一行を構成する各ランドルト環１１ｂが表示されることから、視標呈示部１３の表示画面１６に、検査に用いるランドルト環１１ｂのみを表示させることができる。
【０１１５】
これにより、視標呈示部１３の表示画面１６に表示されたランドルト環１１ｂを被検眼に見せたとき、検査に用いられていない各ランドルト環１１ｂが被検眼の視界に入ることを確実に防止することができる。
【０１１６】
従って、各視標群１１ｃを構成する各行のうち見るべき行以外の行を構成する各ランドルト環１１ｂが視界に入ることによる被検者の混乱が防止されるので、被検者は、見るべき各ランドルト環１１ｂを集中して見ることができる。
【０１１７】
これにより、検査に用いられていないランドルト環１１ｂが視標呈示部１３の表示画面１６に表示される場合に比べて、被検眼の視機能をより確実に正確に測定することができる。
【０１１８】
また、本実施例では、マスクがけを行うべくクリック操作されたマスクボタンＭ１，Ｍ２，Ｍ３が再度クリック操作されることにより、再操作されたマウスボタンＭ１、Ｍ２，Ｍ３に対応する行に施されたマスクがけが解除される例を示したが、これに代えて、又は、これに加えて、例えばマスクがけを解除するための解除ボタンを設けることができる。前記解除ボタンは、例えば操作部２４に設けることができる。
【０１１９】
更に、本実施例では、視標呈示部１３が、視標１１を表示する液晶パネルで構成された表示画面１６を有する例を示したが、これに代えて、視標１１が記された複数の視標パネルが選択的に配置される表示窓を有する視標呈示部や、スクリーンと視標をスクリーンに映し出すチャートプロジェクターを有する視標呈示部等を本発明に適用することができる。  
【０１２０】
この場合、各視標パネルを配置すべく駆動する駆動源の作動、及び、チャートプロジェクターの作動を、それぞれ演算制御回路３６により制御することができる。
【０１２１】
また、本実施例では、全ての視力値において、各視標群１１ｃの最大又は最小の視力値に対応するランドルト環１１ｂが選択されたときに、選択されたランドルト環１１ｂと該ランドルト環の視力値の前後の視力値に対応する各ランドルト環１１ｂをそれぞれ表示部２５の視標表示欄３０に表示した例を示したが、これに代えて、例えば、０．５〜１．０［Ｄ］の範囲内のように検査に比較的頻繁に用いられる視力値に対応するランドルト環１１ｂが選択されたときに、前記したような表示部２５への各ランドルト環１１ｂの表示を行うことができる。
【０１２２】
更に、本実施例では、識別表示手段４４は、表示画面２６に表示された一覧表示欄２９からマウス３３の操作により前記したように選択された視標画像２８が視力検査用視標画像２８ａであり且つ各マスクボタンＭ１，Ｍ２，Ｍ３のうち視標群１１ｃの一行目及び二行目に対応する各マスクボタンＭ１，Ｍ２又は二行目及び三行目に対応する各マスクボタンＭ２，Ｍ３がクリック操作されたことを検出したとき、視標表示欄３０内の上部領域３０ａ及び下部領域３０ｂにそれぞれ網掛けを施す旨の制御信号を画像出力部３７に出力する例を示したが、これに代えて、例えば、視標表示欄３０の上部領域３０ａ及び下部領域３０ｂに網４５を表示させる表示モードと網４５を表示させない非表示モードとに切り替えるための切り替えボタンを例えば操作部２４に設け、この切り替えボタンが非表示モードから表示モードに切り替える切り替え操作が行われたとき、視標表示欄３０の上部領域３０ａ及び下部領域３０ｂにそれぞれ網掛けを施す旨の制御信号を識別表示手段４４から画像出力部３７に出力させることができる。
【０１２３】
また、本実施例では、視標表示欄３０の上部領域３０ａ及び下部領域３０ｂにそれぞれ網掛けを施すことにより、視標呈示部１３に表示される行すなわち視標表示欄３０の中央領域３０ｃ（図６参照。）に表示される行を構成する各ランドルト環１１ｂと他の行を構成する各ランドルト環１１ｂとを識別する例を示したが、これに代えて、又は、これに加えて、視標表示欄３０の上部領域３０ａ及び下部領域３０ｂの背景色を中央領域３０ｃと異なる色にしたり、視標表示欄３０の上部領域３０ａ及び下部領域３０ｂにそれぞれを囲む枠を付けたりすることにより、視標呈示部１３に表示される行を構成する各ランドルト環１１ｂを他の行を構成する各ランドルト環１１ｂと区別することができる。
【０１２４】
この場合、識別表示手段４４は、視標表示欄３０の上部領域３０ａ及び下部領域３０ｂの背景色を視標呈示部１３への表示対象となる各ランドルト環１１ｂが表示される中央領域３０ｃと異ならせる旨の制御信号を画像出力部３７に出力し、又は、視標表示欄３０の上部領域３０ａ及び下部領域３０ｂに、それぞれ上部領域３０ａ及び下部領域３０ｂをそれぞれ囲む枠を付ける旨の制御信号を画像出力部３７に出力する。
【０１２５】
更に、本実施例では、制御装置１５がパソコンＰで構成された例を示したが、これに代えて、制御装置１５を図１０に示すようなコントローラＣで構成することができる。
【０１２６】
コントローラＣは、図示の例では、パソコンＰと同様に、検者２３（図１参照。）により操作される操作部４６と、表示画面４７を有する表示部４８と、パソコンＰに設けられたと同様の演算制御回路３６及び画像出力部３７（図２参照。）とを有する。演算制御回路３６には、前記したと同様に、識別表示手段４４が組み込まれている。
【０１２７】
表示部４８の表示画面４７は、図示の例では、液晶パネルで構成されており、表示画面４７には、図示しないがパソコンＰの表示画面２６と同様に、屈折力表示欄２７、一覧表示欄２９及び視標表示欄３０等が設けられている。
【０１２８】
操作部４６は、操作盤４９を備える。操作盤４９は、回転操作される環状のダイヤルスイッチ５０と、該ダイヤルスイッチの内方に配置された従来よく知られた送りボタン５１とが設けられている。ダイヤルスイッチ５０は、図１乃至図９に示した例におけるマウス３３のダイヤル３４に相当し、送りボタン５１は、図１乃至図９に示した例におけるマウス３３の左ボタン３３ａに相当する。
【０１２９】
この場合、演算制御回路３６は、操作部４６のダイヤルスイッチ５０及び送りボタン５１の操作に基づいて、矯正装置１４、視標呈示部１３及び表示部４８の作動をそれぞれ制御する。
【０１３０】
また、本実施例では、視標選択手段がマウス３３で構成された例を示したが、これに代えて、表示部２５の視標表示欄３０に表示された視標群１１ｃの各行から所望の行を選択することができる手段であれば、マウス３３以外の手段で視標選択手段を構成することができる。
【０１３１】
更に、本実施例では、視力検査用視標１１ａがランドルト環１１ｂで構成された例を示したが、これに代えて、例えばひらがな文字及びカタカナ文字等の文字や記号で視力検査用視標１１ａを構成することができる。
【図面の簡単な説明】
【０１３２】
【図１】本発明に係る自覚式検眼装置を概略的に示す斜視図である。
【図２】本発明に係る自覚式検眼装置を概略的に示すブロック図である。
【図３】本発明に係るパーソナルコンピュータを概略的に示す正面図である。
【図４】本発明に係る表示部の表示画面を概略的に示す正面図である。
【図５】（ａ）は、本発明に係る視力検査用視標を概略的に示す説明図であり、（ｂ）は、（ｂ）は、視標群の各行のうち視力値が最大又は最小の視力値に対応する行が選択されたときの表示部への視標の表示位置を概略的に示す説明図である。
【図６】視標群の一行目及び三行目にマスクがけが施された状態を概略的に示す視標呈示部の表示画面の正面図である。
【図７】視標群の一行面及び二行目にマスクがけが施された状態を概略的に示す視標呈示部の表示画面の正面図である。
【図８】（ａ）は、図６に示す状態における視標表示欄の表示状態を概略的に示す説明図であり、（ｂ）は、図７に示す状態における視標表示欄の表示状態を概略的に示す説明図である。
【図９】表示部の視標表示欄に表示された視標群の各行から選択された行が表示部の表示画面の中央部に表示された状態を概略的示す
【図１０】本発明に係るコントローラを概略的に示す斜視図である。
【符号の説明】
【０１３３】
１０  自覚式検眼装置
１１  視標
１３  視標呈示部
２５  表示部
３６  制御部（演算制御回路）
１１ｃ  視標群
３３  視標選択手段（マウス）
４４  識別表示手段
【図１】
2008245673.tif 000003
【図２】
2008245673.tif 000004
【図３】
2008245673.tif 000005
【図５】
2008245673.tif 000006
【図６】
2008245673.tif 000007
【図７】
2008245673.tif 000008
【図８】
2008245673.tif 000009
【図９】
2008245673.tif 000010
【図１０】
2008245673.tif 000011
【図４】
2008245673.tif 000012